(57)【要約】【課題】偏平チューブを用いたプレート型熱交換器であって、その製造が容易で熱交換性能の高いものの提供。【解決手段】薄い帯状金属板18を、僅かな連結部１を残して幅方向に切断した切断部２を設け、多数の切断部２を長手方向に定間隔で配置し、切断部２を中心としてその両側にスリット３を形成する。そして連結部１で帯状金属板18をつづら折りに曲折してフィン要素の集合体24を構成し、そのフィン要素の集合体24の表面側と裏面側とに偏平チューブ４が嵌着できるようにする。【選択図】        図１
2004205124.tif 000002
【特許請求の範囲】
【請求項１】
薄い帯状金属板(18)が、その全幅に比べて夫々僅かな長さの連結部(1) を残して、その幅方向に切断された多数の切断部(2) を有し、夫々の切断部(2) が長手方向に定間隔に互いに離間して配置され、
夫々の切断部(2) を中心にして、その切断部(2) を横断するスリット(3) が前記幅方向に離間して前記帯状金属板(18)に並列され、
前記帯状金属板(18)が、前記連結部(1) でつづら折りに曲折されて、連続するフィン要素の集合体(24)を構成し、
そのフィン要素の集合体(24)の表面側と、裏面側とに夫々形成された前記スリット(3) の集合部に偏平チューブ(4) が、そのスリット(3) の開口側から嵌着できるように形成された熱交換器用プレートフィン。
【請求項２】
請求項１において、
前記帯状金属板(18)の長手方向に隣接する夫々の前記スリット(3) は千鳥に配置された熱交換器用プレートフィン。
【請求項３】
請求項１または請求項２において、
前記連結部(1) は、前記スリット(3) の方向に延在し、その両側縁(5) の一方が平面くの字状に、他方が逆くの字状に夫々対向して形成され、夫々のくの字の突出部分が折り曲げられて折り曲げ部(20)を形成する熱交換器用プレートフィン。
【請求項４】
請求項１〜請求項３のいずれかの熱交換器用プレートフィンを用い、
前記フィン要素の集合体(24)の表面側と、裏面側とに夫々形成された前記スリット(3) の集合部に、偏平チューブ(4) がそのスリット(3) の開口側から嵌着されてなる熱交換器コア。
【請求項５】
請求項４において、
偏平チューブ(4) の外周と前記スリット(3) との間がろう付けされてなる熱交換器コア。
【発明の詳細な説明】
【０００１】
【発明の属する技術分野】
本発明は、偏平チューブを有するプレートフィン型熱交換器に関し、より詳しくは、各プレートフィンのスリットに偏平チューブを圧入するタイプのものに関する。
【０００２】
【従来の技術】
従来、偏平チューブに適用するフィンとして、自動車用ラジエータやカークーラのコンデンサに一般的に使われてきたものはコルゲートフィンである。
このコルゲートフィンは、技術的に飽和点に達しつつあると見られ、現在より大きく空気抵抗を下げる工夫や性能をあげる工夫、重量を軽減する工夫は限界にきている。
また、コルゲートフィンは自動車用ラジエータやカークーラのコンデンサ，冷房用エアコンの室外機に使用可能であるが、凝縮水の排水性や暖房運転時の着霜が問題となるため、空調機の室内側熱交換器（エバポレータ）やヒートポンプの室外機，冷蔵庫・自販機のエバポレータには全く使用することができず、応用性の低いフィンだと言わざるを得ない。
これは熱交換器に仕上げた場合、コルゲートフィンは形状的に排水性が極端に悪く、それ故、着霜とその発達が速く、除霜が難しいことによる。
【０００３】
コルゲートフィンの上記欠点を払拭できるものは、偏平孔を有するプレートフィンであるが、円形断面チューブ（丸管）を用いる場合と異なり、偏平チューブを偏平孔に挿入することは、それ自体が容易ではない。その挿入性を良くするためには、偏平孔と偏平チューブの外周とのクリアランスを大きくとる必要があり、そのようにするとチューブとフィンの密着性が悪くなり性能低下を招く。
【０００４】
偏平チューブは丸管のようにその内面側から充分拡管できないので、偏平チューブを偏平孔に接合するにはろう付けをする必要があるが、挿入性を確保するためクリアランスを大きくとると、その隙間にろう材が回らず両者間の接合度が低くなり伝熱性が悪くなる。逆に、充分なろう付け性を得るためクリアランスを小さくすると、チューブの挿入性が悪くなり生産性が極端に低下する。
偏平チューブをあえて拡管した後、ろう付けすれば、クリアランスを大きくしても最終的を接合性が良くなる。しかしながら、その場合は拡管工程を必要とし、工程が冗長で生産性が悪く設備投資が過大になってしまう欠点がある。
空調用熱交換器として偏平多穴管を用いる場合があるが、この場合には拡管ができない。
【０００５】
細長いプレートフィンに偏平孔を設ける代わりに、Ｕ字状のスリットをプレートフィンの一端から幅方向に形成し、そのスリットに偏平チューブを圧入するいわゆるカチコミ型の熱交換器も提案されている（例えば、特許文献１参照。）。
この方法によれば、スリットとチューブ間のクリアランスが少なくても、フィンの側方からチューブを圧入することが容易であり、この結果、チューブとフィンの密着度は高められる。
しかしながら、このようなスリットフィン付きプレート型熱交換器は、夫々のプレートフィンの単体を集合させて多数のスリットを整合させるとき、その整合性に欠点があり、取扱いが面倒であるため、これまで量産された実績はない。
【０００６】
【発明が解決しようとする課題】
細長いプレートフィンに夫々幅方向に平行な多数のスリットを形成し、そのスリットの一端縁から偏平チューブを圧入する方法は理論的には可能であるが、実際には各プレートフィンのスリットを整合させてフィン集合体とするこが難しい。
また、チューブを嵌め込む際も、各スリットが正確に整合しないためコアの組立性が悪い欠点がある。そのため偏平チューブを用いたこの種タイプの熱交換器コアは、熱交換器コアとしての理論上の有効性が認識されながら、少なくとも本発明者の知る限りでは実用化されていないのが実状である。
【０００７】
そこで本発明は、プレートフィンの各スリットの整合性が良く且つ、量産性に優れた熱交換器用プレートフィンおよびその熱交換器コアを提供することを課題とする。
さらには偏平チューブを二列に嵌着することができる熱交換器用プレートフィンおよびその熱交換器コアを提供することも課題とする。
【０００８】
【課題を解決するための手段】
請求項１に記載の本発明は、薄い帯状金属板(18)が、その全幅に比べて夫々僅かな長さの連結部(1) を残して、その幅方向に切断された多数の切断部(2) を有し、夫々の切断部(2) が長手方向に定間隔に互いに離間して配置され、
夫々の切断部(2) を中心にして、その切断部(2) を横断するスリット(3) が前記幅方向に離間して前記帯状金属板(18)に並列され、
前記帯状金属板(18)が、前記連結部(1) でつづら折りに曲折されて、連続するフィン要素の集合体(24)を構成し、
そのフィン要素の集合体(24)の表面側と、裏面側とに夫々形成された前記スリット(3) の集合部に偏平チューブ(4) が、そのスリット(3) の開口側から嵌着できるように形成された熱交換器用プレートフィンである。
【０００９】
請求項２に記載の本発明は、請求項１において、
前記帯状金属板(18)の長手方向に隣接する夫々の前記スリット(3) は千鳥に配置された熱交換器用プレートフィンである。
請求項３に記載の本発明は、請求項１または請求項２において、
前記連結部(1) は、前記スリット(3) の方向に延在し、その両側縁(5) の一方が平面くの字状に、他方が逆くの字状に夫々対向して形成され、夫々のくの字の突出部分が折り曲げられて折り曲げ部(20)を形成する熱交換器用プレートフィンである。
【００１０】
請求項４に記載の本発明は、請求項１〜請求項３のいずれかの熱交換器用プレートフィンを用い、
前記フィン要素の集合体(24)の表面側と、裏面側とに夫々形成された前記スリット(3) の集合部に、偏平チューブ(4) がそのスリット(3) の開口側から嵌着されてなる熱交換器コアである。
請求項５に記載の本発明は、請求項４において、
偏平チューブ(4) の外周と前記スリット(3) との間がろう付けされてなる熱交換器コアである。
【００１１】
【発明の実施の形態】
次に、図面に基づいて本発明の実施の形態につき説明する。
図１は本発明の熱交換器コアの要部分解斜視図であり、図２はそのプレートフィンの製造工程の一部を示す説明図、図３はその製造工程の全体的説明図、図４は図３のプレス成形工程における帯状金属板18の要部平面図であり、図５は図４のＶ部拡大図である。また、図６はフィン要素の集合体24の各連結部１における説明的斜視図である。
この熱交換器コアは、図１に示す如く薄い帯状金属板18をつづら折りにしてフィン要素の集合体24を成形し、そのフィン要素の集合体24の厚み方向の表面側と裏面側とから夫々スリット３に偏平チューブ４を嵌着して熱交換器コアを組立て、その後に偏平チューブ４の外周とスリット３との間をろう付け固定するものである。
【００１２】
このフィン要素の集合体24は、各フィン要素を連結する僅かの幅の連結部１においてつづら折りに曲折されている。
図２はその要部斜視図であり、図４および図５はその折り曲げ前の状態を示す。これは薄い帯状金属板18をプレス成形により多数のスリット３と切断部２とを形成し、切断部２の一部に僅かの連結部１を残すものである。即ち、その全幅に比べて僅かな長さの連結部１を残して、その幅方向に切断部２を形成する。この切断部２は、長手方向に定間隔に離間して形成されている。そしてその切断部２を中心にして、切断部２を横断するように長円径のスリット３が長手方向に形成される。このようなスリット３は、幅方向に定間隔で多数並列される。
なお、スリット３の中央部には円弧部21が形成されている。また、長手方向に隣接するスリット３は千鳥に配置されている。この千鳥配列に代えて、各列のスリット３の中心線が一致するように形成してもよい。
【００１３】
次に、連結部１はこの例では幅方向に隣り合う一対のスリット３間の中央に配置され、スリット３方向に形成され、その両側縁４が図５の如く、一方にくの字状の切り込みがあり、他方に逆くの字状の切り込みがある。このくの字状の突出部分は、後に図６の如く折り曲げられて折り曲げ部20を形成し、連結部１全体を剛性的に形成するものである。
【００１４】
このプレートフィンの成形は、一例として図３のプレス金型８で行われる。即ち、帯状金属板18がずプレス金型８に供給されて、図４および図５の連続したフィン要素の集合体24が形成され、次いで互いに歯合する一対の折り曲げロール９間に供給され、図２の如くつづら折りに折り曲げられつつ下流側に搬送される。
この一対の折り曲げロール９の代わりに、上限の金型で順送りプレスにより帯状金属板を成形することもできる。
次いで、フィン要素の集合体24のフィン要素が必要枚数に達したとき、フィンカッタ10によって連結部１部分で切断される。そして、速送りコンベア11によってフィン要素の集合体24が早送りされてコア組みユニット12に供給される。次いで、フィン押し板19によりフィン要素の集合体24の後端を押し、そのフィン押し板19とストッパ25との間で所定ピッチのフィン要素の集合体24が形成される。
【００１５】
このようにしてなるフィン要素の集合体24は図１の如く積層され、夫々のフィン要素におけるスリット３は互いに整合する。そして、夫々のフィン要素の集合体24の上面側と下面側とにスリット３の集合体が配置される。そこで、夫々のスリット３に偏平チューブ４を上下両面側から夫々圧入し、熱交換器コアを組み立てる。なお、偏平チューブ４は、アルミニュームの多穴押出管を使用する場合と、内部に仕切が全く存在しないもの、或いは断面θ状に形成されたものを使用する場合がある。偏平チューブ４の外表面に、予めろう材が被覆されたものを用いることが好ましい。
【００１６】
次いで、このように組立てられた熱交換器コアの各偏平チューブ４の両端は図８に示す如く、上下４本のヘッダ13ａ〜13ｄの偏平孔に嵌入する。なお、下側のヘッダ13ｂとヘッダ13ｃとの間はヘッダ連結管15により連結される。また、上側のヘッダ13ａ，13ｄには出入口パイプ16が突設され熱交換器が組立てられる。
このような熱交換器は高温の炉内に投入され、夫々の偏平チューブ４の外周とフィン要素のスリット３の内周との間がろう付けされると共に、偏平チューブ４の両端部とヘッダ13ａ〜13ｄとの間も液密にろう付け固定される。
なお、上記の例は所定長さの多数の偏平チューブ４を用いたが、それに変えて図９に示す如く、一本の長尺な偏平押出管を蛇行状に曲折し、その直線部分を各スリット３に嵌着したものであってもよい。
【００１７】
次に、図１０はプレスベンドヘッダを用いた熱交換器の略図であり、（Ａ）はその正面図、（Ｂ）はその側面図である。この熱交換器は多数の直線状の偏平チューブを用い、隣り合う偏平チューブを連結して実質的に図９と同様の蛇行流路を形成するものである。
【００１８】
次に、帯状金属板18における図５の変形例として図７のように構成することもできる。この例は、スリット３のスリット縁23が僅かに折り曲げられた断面逆Ｌ字状部を有する。また、切断部２の両側に一対のスペーサ部22か設けられている。これは切断部２を中心として折り曲げられたとき、一対のスペーサ部22が互いに当接し、それによってフィン要素間の隙間を特定するものである。
なお、この例でも各フィン要素には多数のルーバ７が切り起こし形成されている。このルーバ７は、存在しても或いは存在しなくても良い。
【００１９】
【発明の作用・効果】
本発明の熱交換器用プレートフィンは、僅かな連結部１を残して多数の切断部２が設けられ、その切断部２を中心としてスリット３が形成され、連結部１で帯状金属板18がつづら折りに曲折されて連続するフィン要素の集合体24が構成されたものである。そしてそのフィン要素の集合体24の表面側と裏面側とに夫々形成されたスリット３の集合体に偏平チューブ４がスリットの開口側から嵌着できるように構成したものである。
【００２０】
従って、全てのフィン要素が連結部１で連続しているため、夫々のスリット３どうしを確実に整合させことができ、偏平チューブ４をそのスリット３に容易に挿入するこができる。そのため信頼性および量産性の高い熱交換器用プレートフィンとなる。
しかも、このプレートフィンはフィン要素の集合体24の表面側と裏面側とに夫々偏平チューブ４が嵌着できるものであるから、いわゆる二列チューブ型の熱交換器を構成することができ、コンパクトで熱交換性能の高いものとなり得る。
【００２１】
上記構成において、帯状金属板18の長手方向に隣接する夫々のスリット３を千鳥に配置することができる。このようにすることにより、フィン要素の集合体24の表面側の偏平チューブ４と裏面側の偏平チューブ４とを近接することができ、コンパクトで性能のよい熱交換器を提供できる。
上記構成において、連結部１の両側縁５の一方を平面くの字状に、他方を逆くの字状に形成し、そのくの字の突出部分を折り曲げて折り曲げ部20とすることができる。このようにすることにより、各フィン要素の間の間隔を連結部１によって容易に特定することができると共に、連結部１全体を剛性的に形成できる。
【００２２】
また、上記プレートフィンを用いた熱交換器コアは、その製造が容易で精度の良いものとなり得る。
【図面の簡単な説明】
【図１】本発明の熱交換器コアの組立て説明図。
【図２】同熱交換器コアに用いられるフィン要素の集合体24の製造工程中の途中段階を示す斜視説明図。
【図３】同フィン要素の集合体24の製造工程の説明図。
【図４】同製造工程中のプレス金型によって形成された帯状金属板18の平面図。
【図５】図４のＶ部拡大図。
【図６】フィン要素の集合体24の連結部１の要部説明図。
【図７】図５の他の例を示す平面図。
【図８】本発明の熱交換器コアを用いた熱交換器の第１の実施の形態の正面図および側面図。
【図９】同第２の実施の形態の正面図および側面図。
【図１０】同第３の実施の形態の正面図および側面図。
【符号の説明】
１  連結部
２  切断部
３  スリット
４  偏平チューブ
５  側縁
７  ルーバ
８  プレス金型
９  折り曲げロール
10  フィンカッタ
11  速送りコンベア
12  コア組みユニット
13ａ〜13ｄ  ヘッダ
14，14ａ  プレスベンドヘッダ
15  ヘッダ連結管
16  出入口パイプ
17  コイル
18  帯状金属板
19  フィン押し板
20  折り曲げ部
21  円弧部
22  スペーサ部
23  スリット縁
24  フィン要素の集合体
25  ストッパ
【図１】
2004205124.tif 000003
【図２】
2004205124.tif 000004
【図３】
2004205124.tif 000005
【図４】
2004205124.tif 000006
【図５】
2004205124.tif 000007
【図６】
2004205124.tif 000008
【図７】
2004205124.tif 000009
【図８】
2004205124.tif 000010
【図９】
2004205124.tif 000011
【図１０】
2004205124.tif 000012